(57)【特許請求の範囲】
【請求項１】
軸部と、該軸部又は軸部長手方向軸線を中心に左右方向に拡開しつつ一体となり、アイラインに沿う端縁を有する平板体の開閉部とから構成され、
少なくとも該開閉部が軸部又は軸部長手方向の軸線を中心に向かい合わせに折畳自在となること
を特徴とするマスカラガード。
【請求項２】
上記マスカラガードにおいて、その表裏面のうち少なくとも一面において、軸部に一体となる開閉部に軸部又は軸部長手方向の軸線に沿うように溝部を配設してなること
を特徴とする請求項１に記載されるマスカラガード。
【請求項３】
上記マスカラガードにおいて、軸部と開閉部とを別体とした上で、該軸部と開閉部とを一方を他方に回転自在に軸着するヒンジを介して一体に連結すること
を特徴とする請求項１に記載されるマスカラガード。
【発明の詳細な説明】
【技術分野】
【０００１】
本願発明は、睫毛にマスカラを塗布する際に、誤ってマスカラが瞼や頬に付着することを防止するマスカラガードに関する。
【背景技術】
【０００２】
従来、睫毛にマスカラを塗布する際に、誤ってマスカラが瞼や頬に付着することを防止するためにマスカラガードを使用する。このマスカラガードには、例えば、目の横幅に合わせた縦長の長方形のシートであって、長さ方向の両端縁を目の瞼のカーブに合わせてカットし、頬にフィットする様に紙を湾曲形にし、肌に当てる面の長さ方向両端縁に沿って薄いゴムシートを貼着してなるもの（特許文献１参照）や、最外表面を樹脂で塗装したり、プラスチックフィルム等で覆ったコート紙からなる紙製の薄板からなるものであって、該マスカラガードの上辺が瞼の形状に対応した形状で湾曲しているもの（特許文献２参照）がある。
【０００３】
ところで、マスカラガードは、睫毛近傍の狭い範囲のみならず、瞼や頬の一部に至るまでの広範囲にわたってマスカラの付着を防止するため、マスカラガードの外形は必然的に大きくならざるを得ないものである。そのため、たとえバック内に収納するにしても占有する空間は大きくなって携行性に欠けるものとなる。
【０００４】
さらに、使用後のマスカラガードの表面には乾いていないマスカラが付着していることもあり、使用後そのまま放置したり、携行しようとすると、乾いていないマスカラが他所に付着し、または乾固したマスカラが剥落して周囲を汚損する恐れがある。そのため、マスカラガードを収納容器等に収納できるようにすることも必要である。
【先行技術文献】
【特許文献】
【０００５】
【特許文献１】実用新案登録第３１２４５９２号
【特許文献２】実用新案登録第３１４９３０１号
【発明の概要】
【発明が解決しようとする課題】
【０００６】
解決しようとする問題点は、マスカラガードが携行性及び収納性に欠けている点である。
【課題を解決するための手段】
【０００７】
本願発明は、マスカラガードの全部又は一部を折畳自在とすることで外形を小さくすることができる。その結果、バック等に入れて携行することができ、さらにマスカラが付着し、または乾固したマスカラが剥離することによって周囲を汚損しないように収納容器内にも簡易且つ確実に収納することができる。
【０００８】
第１の特徴として、
軸部と、該軸部又は軸部長手方向軸線を中心に左右方向に拡開しつつ一体となり、アイラインに沿う端縁を有する平板体の開閉部とから構成され、
少なくとも該開閉部が軸部又は軸部長手方向の軸線を中心に向かい合わせに折畳自在となるものである。
【０００９】
そのため、マスカラガードを軸部又は軸部長手方向の軸線を中心に向かい合わせに小さく折り畳めることができるので外形を小さくすることができる。その結果、バック等に入れても邪魔にならず携行することができる。
【００１０】
また、マスカラガードの表面にマスカラが付着していても、マスカラガードを小さく折り畳むことで収納容器内へ簡易且つ確実に収納することもできる。その結果、乾燥していないマスカラが他所に付着し、または乾固したマスカラが剥落することにより周囲を汚損してしまうことを防止できる。
【００１１】
なお、マスカラガードを弾性材によりなるものとすることで、マスカラガードを様々な大きさや形状の収納容器に対応して折り畳むようにすることができ、また収納容器内から取り出した際に折り畳まれたマスカラガードが自動的に拡開するようにもできる。
【００１２】
さらに、マスカラガードは収納する収納容器と別体とするものであってもよく、また一体とするものであってもよい。例えば、収納容器を収納容器本体とともに構成する蓋体においてマスカラガードを一体に形成すると、収納容器から取り出すとともに開閉部を拡開することで直ちに使用に供することができ、またマスカラ塗布後には開閉部を折畳することで直ちに収納容器内に収納することができる。
【００１３】
特に、軸部又は軸部長手方向の軸線を中心に向かい合わせに開閉部を折り畳むことで、マスカラガードの外形は略軸部の幅程度にまで小さくまる。その結果、バック等に収納しても邪魔にならないで携行することができ、簡易且つ確実に収納容器内に収納してマスカラが付着し、または乾固したマスカラが剥落することによって周囲を汚損することを防止できる。
【００１４】
第２の特徴として、第１の特徴を踏まえて、
上記マスカラガードにおいて、その表裏面のうち少なくとも一面において、軸部に一体となる開閉部に軸部又は軸部長手方向の軸線に沿うように溝部を配設してなるものである。
【００１５】
そのため、開閉部に力を加えることで、肉厚が薄くなっている開閉部に配設される溝部で屈曲が起こる。その結果、軸部に対して、開閉部は正確、迅速且つ容易に折り畳まれ、また拡開させることができる。
【００１６】
なお、開閉部を拡開又は折畳するにあたっては、開閉部に配設された溝部が切っ掛けとなる。その結果、該溝部の位置、方向又は個数を適宜変化させることで、開閉部を様々な形状や大きさに正確、迅速且つ容易に折り畳むこともできる。従って、様々な収納容器の形状や大きさに合わせてマスカラガードを収納することができるものである。
【００１７】
第３の特徴として、第１の特徴を踏まえて、
上記マスカラガードにおいて、軸部と開閉部とを別体とした上で、該軸部と開閉部とを一方を他方に回転自在に軸着するヒンジを介して一体に連結するものである。
【００１８】
そのため、開閉部に力を加えることで、軸部と開閉部とを一体に連結しているヒンジは回転する。その結果、軸部に対して、開閉部は正確、迅速且つ容易、しかも円滑に拡開、又は折畳させることができる。
【００１９】
その上、軸部と開閉部とを一体に連結するヒンジは、両者を互いに回転自在に軸着しているので開閉部の拡開、又は折畳により発生する摩擦は少なる。その結果、開閉部の拡開又は折畳を反復しても該ヒンジの疲弊は少なくなるので、耐久性をも向上させることができる。
【００２０】
なお、上記軸部と開閉部とを回転自在に軸着して一体に連結するヒンジにおいて、開閉部が拡開する方向に反発力が生じるようにバネを内装しても良いものである。その結果、収納容器内から取り出したマスカラガードの開閉部は自動的に拡開することができる。従って、使用者にとってマスカラガードの拡開は一層を迅速且つ容易に行うことができるものとなる。
【発明の効果】
【００２１】
本願発明のマスカラガードは、マスカラガードの全部又は一部を折畳自在としてマスカラガードを小さくできるので、バック等に入れて携行することができるとともに、収納容器への収納してマスカラが他所へ付着し、またはマスカラが剥落することによって周囲を汚損することを防止できることから、あらゆる場所でマスカラガードの使用が可能になるという利便性を著しく向上させることができる優れた効果を有する。
【図面の簡単な説明】
【００２２】
【図１】図１は、本願発明の実施例１であるマスカラガードを収納する収納容器の全体斜視図である。
【図２】図２は、本願発明の実施例１であるマスカラガードを収納する収納容器の分解斜視図である。
【図３】図３は、本願発明の実施例１であるマスカラガードにおける（イ）表面側、（ロ）裏面側の全体斜視図である。
【図４】図４は、本願発明の実施例１であるマスカラガードにおける（イ）拡開状態、（ロ）折畳状態の全体斜視図である。
【図５】図５は、本願発明の実施例１であるマスカラガードの変形例の分解斜視図である。
【図６】図６は、本願発明の実施例２であるマスカラガードを収納する収納容器の分解斜視図である。
【図７】図７は、本願発明の実施例２であるのマスカラガードの全体斜視図である。
【図８】図８は、本願発明の実施例２であるマスカラガードの分解斜視図である。
【図９】図９は、本願発明の実施例２であるマスカラガードにおける（イ）拡開状態、（ロ）折畳状態の全体斜視図である。
【図１０】図１０は、本願発明の実施例２であるマスカラガードの変形例の分解斜視図である。
【図１１】図１１は、本願発明の実施例であるマスカラガードを収納する収納容器の変形例の透視斜視図である。
【発明を実施するための形態】
【００２３】
マスカラガードの携行性、及びマスカラが他所へ付着し、またはマスカラが剥落することにより周囲を汚損させることを防止するための収納容器内への収納性の向上を、マスカラガードを折畳自在とすることで実現した。
【実施例１】
【００２４】
図１において示すものは、本願発明の実施例１であるマスカラガード１を収納する収納容器Ａである。該収納容器Ａは一端を封止する円筒状の収納容器本体Ｂと該収納容器本体Ｂに着脱自在に装着される蓋体Ｃとから構成される。
そして、該収納容器Ａ内において図２乃至図４において示されるように、本願発明の実施例１であるマスカラガード１は向かい合わせに小さく折り畳まれて収納されている。
【００２５】
ここで、前記マスカラガード１は、軸部２ａと、該軸部２ａに対して左右側面に一体に形成される左右開閉部２ｂ、２ｃとから構成されるものであって、その外形は全体として略撥状である（すなわち、左右開閉部２ｂ、２ｃが軸部２ａを中心に左右方向に拡開している）とともに、その先端縁２ｄがアイラインに沿うように湾曲状となっている。
従って、折り畳まれたマスカラガード１における軸部２ａ及び左右開閉部２ｂ、２ｃの先端縁は、各々アイラインに沿うように湾曲状となっているマスカラガード１の先端縁２ｄを分割した形状となっている。
【００２６】
そして、上記マスカラガード１の裏面側において、軸部２ａに一体となる左右開閉部２ｂ、２ｃにおいて軸部２ａ長手方向の軸線に沿うように溝部２ｅを配設してなるものである。
【００２７】
本願発明の実施例１であるマスカラガード１は以上の構成を具えるので、マスカラを塗布するにあたっては次のようにするものである。
【００２８】
まず、マスカラを塗布するにあたっては、本願発明の実施例１のマスカラガード１を収納する収納容器Ａを構成する収納容器本体Ｂから蓋体Ｃを離脱させることにより、収納容器Ａを構成する収納容器本体Ｂ内において溝部２ｅに沿って左右開閉部２ｂ、２ｃを向かい合わせに小さく折り畳まれて収納されているマスカラガード１を取り出すことができる。
そして、収納容器Ａ内より取り出された小さく折り畳まれているマスカラガード１は、向かい合わせに折り畳まれている左右開閉部２ｂ、２ｃに対して表面側から力を加えると、その裏面側に配設される溝部２ｅにおいて折曲し、左右開閉部２ｂ、２ｃは拡開するものである。
その結果、軸部２ａ及び左右開閉部２ｂ、２ｃから構成され、その先端縁２ｄがアイラインに沿って湾曲するマスカラガード１となるものである。
そこで、該マスカラガード１の先端縁２ｄをアイラインに沿わせるように瞼や頬に密着させた上でマスカラを塗布することにより、マスカラが瞼や頬へ付着することを防止しながら、簡易且つ確実にマスカラを睫毛に塗布することができる。
【００２９】
一方、マスカラを塗布した後には、該マスカラガード１を構成する左右開閉部２ｂ、２ｃに対して裏面側より力を加えると、マスカラガード１の裏面側において左右開閉部２ｂ、２ｃに配設される溝部２ｅにおいて折曲するので、該左右開閉部２ｂ、２ｃを迅速且つ容易に向かい合わせに折り畳むことができる。
そこで、該左右開閉部２ｂ、２ｃが向かい合わせに折り畳まれたマスカラガード１は収納容器本体Ｂ内へ挿入した後に、蓋体Ｃを該収納容器本体Ｂと一体に装着することでマスカラガード１は収容容器Ａ内に収納されるものである。
従って、バック内にそのまま入れてもマスカラガード１は小さく折り畳まれて収納容器Ａに収納されているので、携行性は向上するとともに、マスカラガード１の表面に付着するマスカラが他所へ付着し、または乾固したマスカラの剥落によって周囲を汚損することが防止できる。
【００３０】
そして、図５において示すのは、上述した本願発明の実施例１であるマスカラガード１の変形例である。すなわち、収納容器Ａを収納容器本体Ｂとともに構成する蓋体Ｃにおいて、本願発明の実施例１であるマスカラガード１を左右開閉部２ｂ、２ｃとともに構成する軸部２ａを一体に形成してなるものである。その結果、使用に際しては、収納容器Ａを収納容器本体Ｂとともに構成する蓋体Ｃを収納容器本体Ｂから離脱させることで、収納容器本体Ｂから離脱した蓋体Ｃに一体に形成されるマスカラガード１を迅速かつ確実に、しかも容易に取り出すことができる。そして、向かい合わせに小さく折り畳まれた左右開閉部２ｂ、２ｃを拡開することでマスカラガードとなるものである。また使用後は、左右開閉部２ｂ、２ｃを折畳した上で、折り畳んだマスカラガード１を収納容器本体Ｂ内に挿入するとともに、収納容器本体Ｂに対して蓋体Ｃを一体に装着することで、マスカラガード１を収納容器Ａ内に迅速かつ確実に、しかも容易に収納することができる。
【実施例２】
【００３１】
図６乃至図９において示すものは、本願発明の実施例２であるマスカラガード１’である。該マスカラガード１’は、前述した本願発明の実施例１のマスカラガード１と同様に、一端を封止する円筒状の収納容器本体Ｂと蓋体Ｃとから構成される収納容器Ａ内に収納されている点で共通する。
そして、該マスカラガード１’は、軸部２ａ’と、該軸部２ａ’に対して左右側面に一体に配置され、折畳自在となる左右開閉部２ｂ’、２ｃ’から構成され、その外形は全体として略撥状である（すなわち、左右開閉部２ｂ’、２ｃ’が軸部２ａ’を中心に左右方向に拡開している）とともに、その先端縁２ｄ’がアイラインに沿うように湾曲状となっている点でも共通している。
【００３２】
しかしながら、本願発明の実施例２のマスカラガード１’は、軸部２ａ’と、該軸部２ａ’に対して折畳自在となる左右開閉部２ｂ’、２ｃ’とが各々別体で形成されているものであって、各々別体で形成されている軸部２ａ’と左右開閉部２ｂ’、２ｃ’とは、一方を他方に対して回転自在に軸着し、軸部２ａ’の軸線に沿うヒンジ３によって一体に連結されている点で、本願発明の実施例１のマスカラガード１とは相違するものである（図７参照）。
【００３３】
ここで、前記マスカラガード１’を構成する軸部２ａ’と左右開閉部２ｂ’、２ｃ’とを回転自在に軸着して一体に連結するヒンジ３は具体的に次のようになっている。
すなわち、図８に示すように、該ヒンジ３は、互いに合致するものであって、軸部２ａ’の左右側において突設される突条部３’と、該軸部２ａ’に対して折畳自在となる左右開閉部２ｂ’、２ｃ’の一辺に配設する凹陥部３”とから構成される。まず軸部２ａ’の左右側に突設される突条部３’には、軸部２ａ’の軸線方向に対してピン３’ａ、３’ａが立設されるとともに、該軸部２ａ’の軸線方向と垂直方向に係止体３’ｂが突設されている。一方、左右開閉部２ｂ’、２ｃ’の凹陥部３”には、左右開閉部２ｂ’、２ｃ’が折畳自在に取り付けられる軸部２ａ’の軸線方向にピン保持孔３”ａが穿設されるとともに、該軸部２ａ’の軸線方向に対して垂直方向に裏面方向に開口している係止溝３”ｂが溝設されている。
そのため、軸部２ａ’と左右開閉部２ｂ’、２ｃ’とを一体に連結するに当たっては、軸部２ａ’の左右側の突条部３’に対して左右開閉部２ｂ’、２ｃ’の凹陥部３”を嵌合させるものである。すなわち、軸部２ａ’の突条部３’における係止体３’ｂを左右開閉部２ｂ’、２ｃ’の凹陥部３”の係止溝３”ｂに合致させつつ、軸部２ａ’の突条部３’におけるピン３’ａ、３’ａを左右開閉部２ｂ’、２ｃ’の凹陥部３”のピン保持孔３”ａ内に遊嵌させることで軸部２ａ’と左右開閉部２ｂ’、２ｃ’とは互いに回転自在に軸着されて一体に連結するものとなる。
そして、左右開閉部２ｂ’、２ｃ’を拡開した状態では軸部２ａ’の突条部３’の係止体３’ｂが左右開閉部２ｂ’、２ｃ’の凹陥部３”の係止溝３”ｂに係止するので、左右開閉部２ｂ’、２ｃ’は拡開状態で維持されるものとなる。
【００３４】
本願発明の実施例２であるマスカラガード１’は以上の構成を具えるので、マスカラを塗布するにあたっては次のようにするものである。
【００３５】
まず、マスカラを塗布するにあたっては、本願発明の実施例２のマスカラガード１’を収納する収納容器Ａを構成する収納容器本体Ｂから蓋体Ｃを離脱させることにより、収納容器本体Ｂ内においてヒンジ５により左右開閉部２ｂ’、２ｃ’を向かい合わせに小さく折り畳まれて収納されているマスカラガード１’を取り出すことができる。
そして、収納容器Ａ内より取り出された向かい合わせに小さく折り畳まれているマスカラガード１’は、折り畳まれている左右開閉部２ｂ’、２ｃ’に対して表面側から力を加えると、左右開閉部２ｂ’、２ｃ’はヒンジ３を中心として回転し軸部に対して左右方向に拡開する。
その結果、軸部２ａ’及び左右開閉部２ｂ’、２ｃ’から構成され、その先端縁２ｄ’がアイラインに沿って湾曲するマスカラガード１’となるものである。このとき、軸部２ａ’の突条部３’の係止体３’ｂと左右開閉部２ｂ’、２ｃ’の凹陥部３”の係止溝３”ｂとが互いに係止してヒンジ３の回転が止められるので左右開閉部２ｂ’、２ｃ’は拡開状態で維持されるものである〔図９（イ）参照〕。
そこで、該マスカラガード１’の先端縁２ｄ’をアイラインに沿わせるようにして瞼や頬に密着させた上でマスカラを塗布することにより、マスカラが瞼や頬に付着することを防止しながら、簡易且つ確実にマスカラを睫毛に塗布することができる。
【００３６】
一方、マスカラを塗布した後は、該マスカラガード１’を構成する左右開閉部２ｂ’、２ｃ’に対して裏面側より力を加えると、左右開閉部２ｂ’、２ｃ’はヒンジ３を中心として回転し軸部２ａ’に対して向かい合わせに折り畳むことができる〔図９（ロ）参照〕。
そこで、左右開閉部２ｂ’、２ｃ’が折り畳まれたマスカラガード１’を収納容器本体Ｂ内に挿入した後に、蓋体Ｃを該収納容器本体Ｂと一体に装着することでマスカラガード１’は収容容器Ａ内に収納されるものである。
従って、バック内にそのまま入れてもマスカラガード１’は小さく折り畳まれて収納容器Ａ内に収納されているので、携行性は向上するとともに、マスカラガード１’の表面に付着するマスカラが他所へ付着し、または乾固したマスカラが剥落することによって周囲を汚損することを防止できる。
【００３７】
そして、図１０において示すのは、上述した本願発明の実施例２であるマスカラガード１’の変形例である。すなわち、収納容器Ａを収納容器本体Ｂとともに構成する蓋体Ｃにおいて、本願発明の第２実施例であるマスカラガード１’を左右開閉部２ｂ’、２ｃ’とともに構成する軸部２ａ’を一体に形成してなるものである。その結果、使用に際しては、収納容器Ａを収納容器本体Ｂとともに構成する蓋体Ｃを収納容器本体Ｂから離脱させることで、収納容器本体Ｂから離脱した蓋体Ｃに一体に形成されるマスカラガード１’を迅速かつ確実に、しかも容易に取り出すことができる。そして、向かい合わせに小さく折り畳まれた左右開閉部２ｂ’、２ｃ’を拡開することでマスカラガード１’となるものである。また使用後は、左右開閉部２ｂ’、２ｃ’を折畳した上で、折り畳んだマスカラガード１’を収納容器本体Ｂ内に挿入するとともに、収納容器本体Ｂに対して蓋体Ｃを装着することで、マスカラガード１’を収納容器Ａ内に迅速かつ確実に、しかも容易に収納することができる。
【００３８】
ところで、図１１において示すのは、本願発明の実施例であるマスカラガード１（１’）を収納する収納容器Ａの変形例である収納容器Ａ’である。該収納容器Ａ’は、本願発明の実施例１及び実施例２であるマスカラガード１（１’）を小さく折り畳んで収納する収納容器本体Ｂと、該収納容器本体Ｂに一体に装着される蓋体Ｃに各々対応する収納容器本体Ｂ’及び該収納容器本体Ｂ’に一体に装着される蓋体Ｃ’を有する点で上記収納容器Ａと共通するものである。
なお、収納容器Ａ’内に収納されるマスカラガード１（１’）と蓋体Ｃ’とは、実施例１及び実施例のマスカラガードの変形例と同様に、一体に形成されているものであるが、蓋体Ｃ’とは別体であってもよいものである。
【００３９】
しかしながら、前記収納容器Ａ’は、該収納容器本体Ｂ’に対してマスカラを収容するマスカラ容器部Ｄが一体に形成されている点で本願発明の実施例１および実施例２であるマスカラガード１（１’）を収納する収納容器Ａとは相違するものである。ここで、収納容器本体Ｂ’に一体に形成されるマスカラ容器部Ｄは、マスカラを収容するマスカラ容器本体部Ｅと、内部に塗布体Ｇを一体に保持し、該マスカラ容器本体部Ｅの開口部に着脱自在に装着される蓋部Ｆから構成されるものである。
【００４０】
本願発明の実施例１及び実施例２であるマスカラガード１（１’）を小さく折り畳んで収納する収納容器Ａ’は以上の構成を具えるので、マスカラを塗布するにあたっては次のようにするものである。
【００４１】
まず、マスカラを塗布するにあたっては、収納容器Ａ’を構成する収納容器本体Ｂ’から蓋体Ｃ’を離脱させることにより、蓋体Ｃ’とともに、収納容器本体Ｂ’内において左右開閉部２ｂ’、２ｃ’が向かい合わせに小さく折り畳まれて収納されているマスカラガード１（１’）を取り出すことができる。
そして、収納容器Ａ’内より取り出された小さく折り畳まれているマスカラガード１（１’）は左右開閉部２ｂ、２ｃ（２ｂ’、２ｃ’）に対して表面側から力を加えると、左右開閉部２ｂ、２ｃ（２ｂ’、２ｃ’）は左右方向に拡開する。
その結果、軸部２ａ（２ａ’）及び左右開閉部２ｂ、２ｃ（２ｂ’、２ｃ’）から構成され、その先端縁２ｄ（２ｄ’）がアイラインに沿って湾曲するマスカラガード１（１’）となるものである。
さらに、収納容器本体Ｂ’をもって一体となる蓋部Ｆをマスカラ容器本体部Ｅから離脱させることで、該蓋部Ｆに一体に保持される塗布体Ｇを取り出すことができる。
そこで、該マスカラガード１（１’）の先端縁２ｄ（２ｄ’）をアイラインに沿わせるようにして瞼や頬に密着させた上で、収納容器本体Ｂ’と一体となる蓋部Ｆに保持される塗布体Ｇによりマスカラを塗布することにより、マスカラが瞼や頬に付着することを防止しながら、簡易且つ確実にマスカラを睫毛に塗布することができる。
【００４２】
一方、収納容器本体Ｂ’と一体となる蓋部Ｆに保持される塗布体Ｇによりマスカラを塗布した後は、該マスカラガード１（１’）を構成する左右開閉部２ｂ、２ｃ（２ｂ’、２ｃ’）に対して裏面側より力を加えると、左右開閉部２ｂ、２ｃ（２ｂ’、２ｃ’）は折り畳むことができる。
そこで、収納容器本体Ｂ’と一体となる蓋部Ｆをマスカラ容器本体部Ｅに一体に装着することで、マスカラ容器本体部Ｅ内に塗布体Ｇを収容するとともに、収納容器本体Ｂ’とマスカラ容器本体部Ｅとは蓋部Ｆを介して一体となるものである。
そして、マスカラ容器本体部Ｅと蓋部Ｆを介して一体となる収納容器本体Ｂ’内に左右開閉部２ｂ’、２ｃ’が折り畳まれたマスカラガード１’を挿入した後に、蓋体Ｃ’を該収納容器本体Ｂ’と一体に装着することでマスカラガード１（１’）は収容容器Ａ’内に収納されるものである。
従って、バック内にそのまま入れてもマスカラガード１（１’）は小さく折り畳まれて収納容器Ａ’内に収納されているので、携行性は向上するとともに、マスカラガード１（１’）の表面に付着するマスカラが他所へ付着し、または乾固したマスカラが剥落することによって周囲を汚損することを防止できる。
【産業上の利用可能性】
【００４３】
本願発明のマスカラガードは小さく折り畳むことができるので携行が可能となり、しかも小さく折り畳むことで収納容器内に収納することもできるので、マスカラが他所へ付着し、または乾固したマスカラが剥落することによって周囲を汚損させることを防止できるので、化粧料のみならず塗料、接着剤を塗布する際に使用するマスキング材も適用できる。
【符号の説明】
【００４４】
１、１’    マスカラガード
２ａ、２ａ’  軸部
２ｂ、２ｂ’、２ｃ、２ｃ’    左右開閉部
２ｄ、２ｄ’    先端縁
２ｅ    溝部
３    ヒンジ
３’    突条部
３’ａ    ピン
３’ｂ    係止体
３”    凹陥部
３”ａ    ピン保持孔
３”ｂ    係止溝
Ａ、Ａ’    収納容器
Ｂ、Ｂ’    収納容器本体
Ｃ、Ｃ’    蓋体
Ｄ    マスカラ容器部
Ｅ    マスカラ容器本体部
Ｆ    蓋部
Ｇ    塗布体
【図１】
0005641288.tif 000002
【図２】
0005641288.tif 000003
【図３】
0005641288.tif 000004
【図４】
0005641288.tif 000005
【図５】
0005641288.tif 000006
【図６】
0005641288.tif 000007
【図７】
0005641288.tif 000008
【図８】
0005641288.tif 000009
【図９】
0005641288.tif 000010
【図１０】
0005641288.tif 000011
【図１１】
0005641288.tif 000012